(57)【特許請求の範囲】
【請求項１】
給水路からの給水を受けて加熱するための缶体の出湯側において、浴槽に差し湯するための高温差し湯路と、給湯栓に給湯するための一般給湯路とが分岐され、前記高温差し湯路は、差し湯流量を変更調整するための差し湯流量調整弁を備え、前記一般給湯路は、前記缶体で加熱された湯に対し前記給水路から分岐したバイパス路を通して混水可能に構成されるとともに、給湯栓側への給湯流量を変更調整するための給湯流量調整弁を備えてなる給湯装置において、
前記高温差し湯路を通して所定の高温湯を差し湯するための高温差し湯運転制御を行う差し湯制御手段を備え、
前記高温差し湯路には、前記差し湯流量調整弁に加え、非通電時に閉状態を維持し通電することにより開状態に変換する差し湯電磁弁が前記差し湯流量調整弁と直列に介装されるとともに、前記差し湯流量調整弁及び差し湯電磁弁よりも下流側位置には前記浴槽への経路に流れる湯の温度を検出するための温度センサが介装され、
前記差し湯制御手段は、高温差し湯運転開始に際しては一般給湯路を通して給湯栓に給湯される場合の給湯流量を制限するよう前記給湯流量調整弁を所定開度に変更して予め待機させ、高温差し湯運転中は前記缶体で加熱された湯を一定流量で浴槽側に供給するよう前記差し湯流量調整弁を作動制御し、この高温差し湯運転中に前記給湯栓が開かれて給湯使用が生じたときは前記差し湯流量調整弁を前記給湯使用が生じる直前の制御状態における直前開度と同じ開度に維持する制御を行い、前記差し湯流量調整弁が前記直前開度に維持されている間、前記差し湯電磁弁を開状態に維持する制御を行う一方、前記缶体で加熱する湯の温度を低下させるための缶体出湯温度の低下処理を実行し、前記浴槽への経路に流れる湯の温度が前記高温湯の温度とは明らかに異なる温度として検出し得る程度に設定された設定温度まで温度低下したことが前記温度センサにより検出されることを条件に、前記差し湯電磁弁を閉状態に切換制御するように構成されている、ことを特徴とする給湯装置。
【発明の詳細な説明】
【技術分野】
【０００１】
本発明は、缶体内において燃焼熱との熱交換加熱により給水を所定の高温度まで昇温させ、生成された高温湯を給湯栓等に至る一般給湯路と、浴槽に至る高温差し湯路との２方向に供給可能とされ、浴槽に対し高温差し湯路を通して高温湯の差し湯（以下「高温差し湯」という）をすることにより、湯張り後の浴槽内の湯水を昇温させて追い焚きと同等の役割を果たし得る高温差し湯機能付きの給湯装置に関し、特に、高温差し湯運転の実行中に一般給湯路を通しての給湯が開始された場合の不都合発生を回避するための技術に係る。
【背景技術】
【０００２】
高温差し湯機能付きの給湯装置においては、高温差し湯路を通して浴槽に対し高温湯を差し湯する高温差し湯運転の実行中に一般給湯路を通しての給湯使用が開始された場合、高温差し湯運転を停止して給湯運転を優先させるようにしている。この高温差し湯運転から給湯運転への切換の過渡期においては、熱交換器等の缶体内に残る高温湯の一部が高温差し湯路側に、残りが一般給湯路側にそれぞれ分岐して流れることになる。ここで、高温差し湯路にはかなりの高温（例えば８０℃）の湯が流れることになるため、耐熱性の観点から流量センサの介装による差し湯流量自体の検出は実用上困難という事情がある。従来、一般給湯路側に高温湯が流れることの不都合発生を回避するために、その高温湯を浴槽に早期にパージするための対策が提案されている。
【０００３】
特許文献１では、高温差し湯運転の実行中に給湯使用が開始された場合、一般給湯路への湯温が低下するまで、あるいは、熱交換器出口の温度検出値が所定値以下に低下するまで、高温差し湯路に介装された開閉弁を開いた状態にした上で、開閉弁を閉止切換することが提案されている（例えば同文献の請求項１又は請求項２参照）。
【０００４】
又、特許文献２では、高温差し湯運転の実行中に給湯使用が開始された場合、給湯使用の開始前までは給水流量センサに基づき差し湯流量を一定にする制御が可能であったところ、給湯使用が開始されると高温差し湯路側への分岐流量の検出が不能となるため、これを各種温度検出値等に基づき演算処理により求め、この演算値に基づいて差し湯流量調整弁の開度制御を行うことにより前記切換の過渡期の期間中においても差し湯流量をなるべく一定にする制御を行うようにすることが提案されている（例えば同文献の段落００１３、段落００４１参照）。
【先行技術文献】
【特許文献】
【０００５】
【特許文献１】特許第２９０９４１７号公報
【特許文献２】特開２００４−３６９６０号公報
【発明の概要】
【発明が解決しようとする課題】
【０００６】
ところで、高温差し湯路を通した高温差し湯は、かなりの高温（例えば８０℃）の湯を浴槽に差し湯するものであるため、入浴中のユーザーが熱過ぎると感じない程度の差し湯流量、例えばチョロチョロと流入する程度の差し湯流量（例えば４Ｌ／ｍｉｎ）に抑制する必要があり、前記の切換の過渡期においても、変動を招くことなく、かかる差し湯流量に抑制することが求められる。しかしながら、前記特許文献で提案された給湯装置では、前記の切換の過渡期において高温差し湯路を通してパージされる高温差し湯の流量の抑制が十分ではなく、一定に制御された高温差し湯運転中の差し湯流量から変動を招いたり、一般給湯路を通して流れる給湯温度に変動を招いたり、するおそれが考えられる。すなわち、差し湯流量が増大側に変動すると、入浴中のユーザーに熱過ぎると感じさせることになる一方、差し湯流量が低減側に変動すると、より多くの高温湯が一般給湯路側に流れてしまい、それまで閉止状態であったバイパス路からの混水比率制御による温調が追いつかずにオーバーシュート発生を招いてしまうことになる、という不都合発生のおそれが考えられる。
【０００７】
一方、前記の特許文献１，２で提案された給湯装置では、高温差し湯路を通しての高温差し湯の供給・停止の切換及び供給流量を変更調整するために、流量変更手段としても作用する電磁式の高温給湯弁（特許文献１の段落００１５参照）あるいは閉止機能付きの流量調整弁（特許文献２の段落０００５参照）というように、いずれも流量変更調整機能付きの１つの弁手段を高温差し湯路に介装させている。しかしながら、停電が発生した場合には、開いた状態になる、又は、開いた状態のままになってしまうことが考えられ、浴槽に対し無制御状態の高温湯等が流れるおそれがある。又、流量調整弁とは別に独立した開閉弁を設けた場合にも、その開閉弁に開故障（閉切換制御したにも拘わらず完全閉止せずに開状態のままになる故障）が万一発生すると、浴槽に対し意図しない高温湯等が流れるおそれがある。
【０００８】
本発明は、このような事情に鑑みてなされたものであり、その目的とするところは、高温差し湯運転の実行中に給湯使用が開始されたとき、高温差し湯運転を停止して給湯運転への切換過渡期において、給湯使用の開始前の差し湯流量とほぼ同じ一定流量で高温湯を浴槽側に確実にパージし、一般給湯路を通しての給湯温度の温調におけるオーバーシュート発生を確実に回避し得る給湯装置を提供することにある。
【課題を解決するための手段】
【０００９】
前記目的を達成するために、本発明では、給水路からの給水を受けて加熱するための缶体の出湯側において、浴槽に差し湯するための高温差し湯路と、給湯栓に給湯するための一般給湯路とが分岐され、前記高温差し湯路は、差し湯流量を変更調整するための差し湯流量調整弁を備え、前記一般給湯路は、前記缶体で加熱された湯に対し前記給水路から分岐したバイパス路を通して混水可能に構成されるとともに、給湯栓側への給湯流量を変更調整するための給湯流量調整弁を備えてなる給湯装置を対象に、次の特定事項を備えることとした。すなわち、前記高温差し湯路を通して所定の高温湯を差し湯するための高温差し湯運転制御を行う差し湯制御手段を備えることとし、前記差し湯制御手段として、高温差し湯運転開始に際しては一般給湯路を通して給湯栓に給湯される場合の給湯流量を制限するよう前記給湯流量調整弁を所定開度に変更して予め待機させ、高温差し湯運転中は前記缶体で加熱された湯を一定流量で浴槽側に供給するよう前記差し湯流量調整弁を作動制御し、この高温差し湯運転中に前記給湯栓が開かれて給湯使用が生じたときは前記差し湯流量調整弁を前記給湯使用が生じる直前の制御状態における直前開度と同じ開度に維持する制御を行う構成とする。
【００１０】
この特定事項を備える場合、高温差し湯運転中においては、高温差し湯路に作用する給水路からの給水の供給圧に抗して差し湯流量調整弁を所定開度まで絞ることにより、所定の差し湯流量で一定に維持されて高温差し湯が継続されることになる。そして、この状態から給湯使用が開始されることになったとしても、給湯流量調整弁は給湯流量が制限されるよう所定開度で待機状態になっているため、給湯流量調整弁よりも上流側にある程度の背圧を維持したまま、缶体から出湯される湯が高温差し湯路と一般給湯路との双方に分流されることになる。このため、差し湯流量調整弁の開度を直前開度に維持しておくことで、給湯使用が生じる前とほぼ同じ流量の高温差し湯が高温差し湯路に継続して分流され、これにより、缶体内に残る高温の湯を、高温差し湯路を通して浴槽に対しそれまでと同じほぼ一定の差し湯流量にてパージすることが可能となる。このことにより、前記の缶体内に残る高温の湯が給湯使用の発生により一般給湯路側に一気に流れてしまうという事態の発生が抑制されることになり、この結果、バイパス路を通しての混水も適正に行われ、混水が追いつかずにオーバーシュートが生じてしまうという不都合の発生も回避することが可能となり、切換の過渡期における設定給湯温度への温調の確実化も図り得ることになる。
【００１１】
加えて、前記高温差し湯路に、差し湯流量調整弁に加え、非通電時に閉状態を維持し通電することにより開状態に変換する差し湯電磁弁を差し湯流量調整弁と直列に介装し、差し湯制御手段として、高温差し湯運転中に給湯使用が生じたとき、差し湯流量調整弁が直前開度に維持されている間、差し湯電磁弁を開状態に維持する制御を行うように構成する。この特定事項を備えることにより、高温差し湯運転中に給湯使用が生じたときに高温差し湯を中断又は停止して給湯運転への切換の過渡期における高温の湯の浴槽へのパージを一定の差し湯流量にて確実に行い得るという前記の作用に加え、高温差し湯運転中に例えば停電が発生したとしても、その停電により差し湯電磁弁が自動的に閉状態に戻り、これにより、高温差し湯路を確実に遮断して浴槽側に高温の湯が流れてしまうことを阻止することが可能となる。
【００１２】
さらに加えて、高温差し湯路に、差し湯流量調整弁及び差し湯電磁弁よりも下流側位置に前記浴槽への経路に流れる湯の温度を検出するための温度センサをさらに介装し、差し湯制御手段として、高温差し湯運転中に給湯使用が発生したとき、缶体で加熱する湯の温度を低下させるための缶体出湯温度の低下処理を実行し、前記浴槽への経路に流れる湯の温度が前記高温湯の温度とは明らかに異なる温度として検出し得る程度に設定された設定温度まで温度低下したことが前記温度センサにより検出されることを条件に、差し湯電磁弁を閉状態に切換制御する構成とした（請求項１）。この特定事項を備えることにより、高温差し湯運転の停止中において前記温度センサによる検出温度を監視することで、差し湯電磁弁に開故障が万一発生していれば、その開故障の発生を確実に検知することが可能となる。すなわち、開故障が発生していれば、高温の湯が差し湯電磁弁を通過して下流側に漏れ、その高温の湯が前記温度センサにより検出されることになる。そして、単に缶体内の高温の湯がパージされた段階で差し湯電磁弁を閉切換する場合には前記温度センサの設置位置ではまだ高温の湯が滞留している可能性があり、的確な開故障検知の判定が困難になるのに対し、前記温度センサが温度低下を検出したことを条件に高温差し湯運転を終了するようにしているため、差し湯電磁弁の開故障の検知をより的確に行うことが可能になる。
【発明の効果】
【００１３】
以上、説明したように、本発明の給湯装置によれば、高温差し湯運転中においては、高温差し湯路に作用する給水路からの給水の供給圧に抗して差し湯流量調整弁を所定開度まで絞ることにより、所定の差し湯流量で一定に維持されて高温差し湯を継続させることができるようになる。そして、この状態から給湯使用が開始されることになったとしても、給湯流量調整弁は給湯流量が制限されるよう所定開度で待機状態になっているため、給湯流量調整弁よりも上流側にある程度の背圧を維持したまま、缶体から出湯される湯が高温差し湯路と一般給湯路との双方に分流させることができるようになる。このため、差し湯流量調整弁の開度を直前開度に維持しておくことで、給湯使用が生じる前とほぼ同じ流量の高温差し湯を高温差し湯路に継続して分流させることができるようになり、これにより、缶体内に残る高温の湯を、高温差し湯路を通して浴槽に対しそれまでと同じほぼ一定の差し湯流量にてパージすることができるようになる。加えて、前記の缶体内に残る高温の湯が、給湯使用が生じて一般給湯路側に一気に流れることを抑制することができることになり、この結果、バイパス路を通しての混水を適正に行うことができ、混水が追いつかずにオーバーシュートが生じてしまうという不都合の発生も回避することができるようになる。このため、切換の過渡期における設定給湯温度への温調の確実化を図ることができるようになる。
【００１４】
又、高温差し湯路に、差し湯流量調整弁に加え、非通電時に閉状態を維持し通電することにより開状態に変換する差し湯電磁弁を差し湯流量調整弁と直列に介装し、差し湯制御手段として、高温差し湯運転中に給湯使用が生じたとき、差し湯流量調整弁が直前開度に維持されている間、差し湯電磁弁を開状態に維持する制御を行う構成としているため、高温差し湯運転中に給湯使用が生じたときに高温差し湯を中断又は停止して給湯運転への切換の過渡期における高温の湯の浴槽へのパージを一定の差し湯流量にて確実に行うことができるという前記効果に加え、高温差し湯運転中に例えば停電が発生したとしても、その停電により差し湯電磁弁が自動的に閉状態に戻り、これにより、高温差し湯路を確実に遮断して浴槽側に高温の湯が流れてしまうことを阻止することができるようになる。
【００１５】
さらに、高温差し湯路に、差し湯流量調整弁及び差し湯電磁弁よりも下流側位置に前記浴槽への経路に流れる湯の温度を検出するための温度センサをさらに介装し、差し湯制御手段として、高温差し湯運転中に給湯使用が発生したとき、缶体で加熱する湯の温度を低下させるための缶体出湯温度の低下処理を実行し、前記浴槽への経路に流れる湯の温度が前記高温湯の温度とは明らかに異なる温度として検出し得る程度に設定された設定温度まで温度低下したことが前記温度センサにより検出されることを条件に、差し湯電磁弁を閉状態に切換制御する構成としているため、高温差し湯運転の停止中において前記温度センサによる検出温度を監視することで、差し湯電磁弁に開故障が万一発生していれば、その開故障の発生を確実に検知することができるようになる。すなわち、開故障が発生していれば、高温の湯が差し湯電磁弁を通過して下流側に漏れ、その高温の湯が前記温度センサにより検出されることになる。そして、単に缶体内の高温の湯がパージされた段階で差し湯電磁弁を閉切換する場合には前記温度センサの設置位置ではまだ高温の湯が滞留している可能性があり、的確な開故障検知の判定が困難になるのに対し、温度センサが温度低下を検出したことを条件に高温差し湯運転を終了するようにしているため、差し湯電磁弁の開故障の検知をより的確に行うことができるようになる。
【図面の簡単な説明】
【００１６】
【図１】本発明の実施形態に係る給湯装置の模式図である。
【図２】図１の給湯装置の作動制御を行うコントローラのブロック構成図である。
【図３】図２の差し湯制御部による高温差し湯制御の一部を示すフローチャートである。
【図４】図２の差し湯制御部による高温差し湯制御の他部を示すフローチャートである。
【図５】図２の差し湯電磁弁故障検知処理部による故障検知処理を示すフローチャートである。
【発明を実施するための形態】
【００１７】
以下、本発明の実施形態を図面に基づいて説明する。
図１は、本発明の給湯装置１を示したものである。この給湯装置１は、高温差し湯機能付きに構成されており、缶体２において給水路３からの水を所定の高温（高温差し湯の場合には例えば８０℃、給湯の場合には例えば７５℃）まで熱交換加熱した後に出湯路４に出湯された湯を、給湯栓５１等に至る一般給湯路５と、浴槽６に至る高温差し湯路７とに分岐させて供給可能となっている。一般給湯路５には、その途中位置にバイパス路８の下流端が合流するように接続されており、このバイパス路８を通して、バイパス流量調整弁８１により給水路３から分流させた所定流量の水が導入可能となっている。このバイパス流量調整弁８１の開度制御に基づく混合比制御により一般給湯路５の高温の湯に対し所定量混水し、給湯栓５１への給湯温度を所定の設定給湯温度（例えば４０℃）に温調し得るようにされている。又、このバイパス路８の合流位置より下流側位置の一般給湯路５から注湯路９が分岐され、この注湯路９の下流端は浴槽６に対し連通接続されており、設定湯張り温度に温調された湯を浴槽６に注湯して湯張りし得るようになっている。前記の高温差し湯路７の下流端は注湯路９に連通接続され、これにより、高温差し湯路７に流入した高温差し湯が注湯路９を通して浴槽６まで供給されるようになっている。高温差し湯は、湯張り後の浴槽６内の湯水を昇温させて追い焚きと同等の役割を果たすようになっている。以下、各構成要素について、詳細に説明する。
【００１８】
前記缶体２は、送風ファン２１からの燃焼用空気及び燃料供給系２２からの燃料ガスの供給を受けて燃焼する燃焼バーナ２３と、この燃焼バーナ２３の燃焼熱により熱交換加熱される熱交換器２４，２５とが内蔵されている。燃焼バーナ２３は、例えば３つの領域が互いに独立にあるいは任意に組み合わせて燃焼可能に構成され、又、熱交換器としては、燃焼ガスの顕熱により熱交換加熱するための主熱交換器２４と、主熱交換器２４通過後の燃焼排ガスの潜熱回収により予熱するための副熱交換器２５とで構成されている。そして、前記副熱交換器２５の入口には、水道管又は水道タンクに接続されて上水を給水する給水路３の下流端が接続され、副熱交換器を通過した後に主熱交換器２４を通過する間に熱交換加熱された湯が、主熱交換器２４の出口に接続された出湯路４の上流端に出湯されるようになっている。なお、熱交換器として２種類のもの２４，２５を備えている点や、燃焼バーナ２３が独立燃焼可能な３つの領域を備えている点などは、本発明において必須のものではなく、缶体としては給水を受けて加熱し得るものであれば本発明を適用することができる。
【００１９】
前記給水路３には、バイパス路８の分岐位置よりも下流側（缶体２側）において缶体２に給水される水の給水流量を検出する缶体流量センサ３１と、その給水温度を検出する給水温度センサ３２とがそれぞれ介装されている。そして、缶体２で熱交換加熱されて昇温した高温湯の出湯温度を検出するための缶体温度センサ４１が出湯路４に介装されている。
【００２０】
前記一般給湯路５には、バイパス路８の合流位置の上流側位置に逆止弁５２が介装される一方、前記合流位置の下流側であって前記注湯路９の分岐位置よりも上流側に、過流出防止弁とも呼ばれる給湯流量調整弁５３と、給湯栓５１又は注湯路９に供給される給湯温度を検出する給湯温度センサ５４と、給湯流量を検出する給湯流量センサ５５とがそれぞれ介装されている。
【００２１】
前記高温差し湯路７には、非通電状態で閉状態を維持し通電すると開切換する電磁開閉弁により構成され浴槽６に対し高温差し湯をするか停止するかの開閉切換可能な差し湯電磁弁７１と、開度調整による差し湯流量を変更調整可能な差し湯流量調整弁７２とがそれぞれ介装されている。このような差し湯電磁弁７１と、差し湯流量調整弁７２とを互いに独立して設置していることにより、例えば停電が発生したとしても、高温差し湯路７を確実に遮断して浴槽６側に高温湯が流れてしまうことを阻止することができる。すなわち、例えば閉止機能付きの流量調整弁を用いて、高温差し湯路７の開閉機能と流量調整機能との双方を１つの機器で実現させた場合、高温差し湯運転中に停電が万一発生すると、その開いた状態のままとなってしまうという不都合が考えられる。これに対し、前記の如く差し湯電磁弁７１と、差し湯流量調整弁７２とを互いに独立して設置することで、差し湯電磁弁７１がたとえ開状態に制御されて高温差し湯運転中であったとしても、停電が発生すれば、差し湯電磁弁７１を自動的に閉状態に戻すことができ、高温差し湯路７を確実に遮断状態に切換ることができるようになる。
【００２２】
さらに、前記注湯路９には、その開閉により注湯して湯張りを行うか否かに切換える電磁開閉弁により構成された湯張り弁９１と、注湯流量を検出するための注湯流量センサ９２とが介装されている。さらに、前記注湯路９には、前記高温差し湯路７の下流端の合流位置よりも下流側に、負圧を破壊して逆流防止するためのバキュームブレーカ９３と、浴槽６への経路に流れる湯の温度（ふろ経路温度）を検出するためのふろ経路温度センサ９４とが介装されている。このふろ経路温度センサ９４は、高温差し湯路７を通して浴槽６側に流れる湯の温度を検出するためのものであるため、注湯路９ではなくて高温差し湯路７の適所、例えば注湯路９との合流位置よりも上流側であって前記差し湯電磁弁７１よりも下流側位置に介装させることもできる。
【００２３】
なお、浴槽６には、撹拌アダプタ６１が設置されており前記高温差し湯路７の下流端が前記撹拌アダプタ６１に接続されている。そして、撹拌アダプタ６１は、浴槽６内の湯水を取り込んで高温差し湯と混合・撹拌した後に浴槽６内に吐出させるようになっている。この際、取り込まれた浴槽６内の湯水の温度が浴槽温度センサ６２により検出されて、浴室リモコン１０２を介してコントローラ１０に出力されるようになっている。
【００２４】
以上の給湯装置において、給湯栓５１へ所定の設定給湯温度で給湯を実行する給湯制御と、浴槽６に対する湯張り制御と、湯張り後の浴槽６内の湯水に対し高温湯を差し湯して追い焚きと同等機能を果たさせる差し湯制御と、差し湯電磁弁７１の開故障を検知するための差し湯電磁弁故障検知処理とを含む種々の作動制御が、例えば台所リモコン１０１や浴室リモコン１０２等の各種リモコンからの入力設定信号や操作信号の出力や、種々の温度センサ等からの検出信号の出力を受けて、コントローラ（制御手段）１０により実行されるようになっている。このような作動制御のために、コントローラ１０は、給湯制御を行う給湯制御部１０３（図２参照）、湯張り制御を行う湯張り制御部１０４、差し湯制御を行う差し湯制御部１０５や、差し湯電磁弁故障検知処理を行う差し湯電磁弁故障検知処理部１０６等を備えている。コントローラ１０は、ＣＰＵや書き換え可能メモリを備えるマイコンによって主構成されており、メモリに記憶されたプログラム及び各種データに基づいて前記の給湯制御や差し湯制御などを行うようになっている。
【００２５】
前記給湯制御部１０３は、例えば差し湯制御が行われていない状態で給湯栓５１がユーザーにより開かれて給湯流量センサ５５が所定の最低作動流量を検出すると、燃焼バーナ２３及び燃料供給系２２からなる燃焼系を燃焼作動させて給湯用の所定の高温（例えば６０〜７５℃）の湯を出湯路４及び一般給湯路５に出湯させる一方、給水温度センサ３２による検出給水温度、缶体温度センサ４１による検出出湯温度、給湯温度センサ５４による検出給湯温度やリモコン１０１に入力設定された設定給湯温度に基づいてバイパス流量調整弁８１による混合比制御や、給湯流量調整弁５３の開度制御が行われる。この結果、給湯栓５１に対し所定の設定給湯温度（例えば４０℃）に温調された湯が給湯されることになる。例えばバイパス流量調整弁８１の混合比制御により混水量が増加すると缶体２からの高温湯がより低温側に温調される。又、例えば給湯栓５１が最大側に開かれて大流量の給水状態に陥ることにより、燃焼系を最大能力で加熱制御したとしても熱交換器２４，２５において所定温度まで昇温させ得ない場合には、給湯流量調整弁５５の開度を所定量絞って所定温度までの昇温を確保するようになっている。
【００２６】
前記湯張り制御部１０４は、例えば浴室リモコン１０２の湯張りスイッチ又はふろ自動スイッチがユーザーによりＯＮ操作されると、湯張り弁９１を開き、前記給湯制御部１０３の給湯制御と同様に、燃焼系の燃焼作動と、バイパス流量調整弁８１及び給湯流量調整弁５３の開度制御とを行い、前記浴室リモコン１０２に設定入力された設定湯張り温度に温調された湯を浴槽６に対し注湯するようになっている。
【００２７】
前記差し湯制御部１０５は、例えば浴室リモコン１０２の差し湯スイッチ（熱くするためのスイッチ）がユーザーによりＯＮ操作されると、差し湯制御を実行することになる。あるいは、前記のふろ自動スイッチがＯＮ操作されている場合には、浴槽温度センサ６２が所定温度よりも低下したことを検出すれば、保温のために差し湯制御が自動的に実行されるようになっている。以下、図３，図４のフローチャートを参照しつつ、詳細に説明する。
【００２８】
前記の差し湯スイッチのＯＮ操作等が出力されると（ステップＳ１でＹＥＳ）、まず、給湯流量調整弁５３を所定の設定開度に変更してこれを維持させた上で（ステップＳ２）、差し湯電磁弁７１を開切換して燃焼系２２，２３の燃焼作動を開始し（ステップＳ３）、差し湯流量調整弁７２の開度を変更調整して所定の差し湯流量で一定になるように差し湯流量制御を実行する（ステップＳ４）。前記のステップＳ２は、後述の如く、高温差し湯運転中に給湯使用が割り込んだ場合に高温差し湯運転を中断して給湯運転に切換えるための過渡期の制御のために、予め所定開度まで絞った状態にして待機させておくものである。この待機位置（給湯流量調整弁５３の所定の設定開度）としては、全開と全閉との間の中央位置に相当する開度を設定することができ、具体的には、弁がステッピングモータへの指令ステップ数により回転が制御されて全開（０ステップ）〜全閉（３４００ステップ）まで弁開度が変化する場合、例えばそのほぼ中央位置に相当する２２００ステップの位置を設定することができる。又、所定の差し湯流量とは、浴槽６内にチョロチョロと流入する程度の流量（例えば４Ｌ／ｍｉｎ）であり、このため、差し湯流量調整弁７２の開度をかなり絞り側に調整・設定する。具体的に、差し湯流量制御として、缶体流量センサ３１から出力される検出流量に基づいて差し湯流量が前記の所定値になるように差し湯流量調整弁７２の開度をフィードバック制御する。
【００２９】
そして、給湯使用がないことを例えば給湯流量センサ５５の検出流量がゼロであることにより確認した上で（ステップＳ５でＮＯ）、高温差し湯運転の終了条件が成立していなければ（ステップＳ６でＮＯ）、ステップＳ３に戻り、ステップＳ３以降の処理を続ける。ここで高温差し湯運転の終了条件とは、浴室リモコン１０２の差し湯スイッチがＯＦＦに切換操作されたこと、高温差し湯の検出流量値の積算に基づく高温差し湯量が設定湯量に達したこと、又は、浴槽温度センサ６２による浴槽内の湯水温度が所定の温度まで昇温したことのいずれかである。又、ステップＳ５で給湯流量センサ５５が最低作動流量以上の流量を検出して給湯使用の開始が検出された場合には（ステップＳ５でＹＥＳ）、高温差し湯運転を中断させるべく、後述の過渡期の制御（ステップＳ１０〜Ｓ１４）を経て中断させることになる。
【００３０】
ステップＳ６で高温差し湯運転の終了条件が成立すれば（ステップＳ６でＹＥＳ）、燃焼系２２，２３の燃焼作動を停止させた後（ステップＳ７）、ふろ経路温度センサ９４の検出温度が所定の設定温度まで低下するまでの僅かな間（例えば１０〜２０ｓｅｃ）、差し湯電磁弁７１を開状態に維持して浴槽６側への湯水供給を継続させる（ステップＳ８でＮＯ）。そして、ふろ経路温度センサ９４の設置位置での検出温度が前記設定温度まで温度低下すれば（ステップＳ８でＹＥＳ）、差し湯電磁弁７１を閉切換制御して高温差し湯運転を終了させる（ステップＳ９）。ふろ経路温度センサ９４の設置位置における経路内の湯水温度が前記設定温度まで低下するまで待つのは、後述の差し湯電磁弁の開故障検知のために必要となるためである。前記設定温度としては、高温差し湯の温度とは明らかに異なる温度として検出し得る程度の温度であればよく、好ましくは、高温差し湯が例えば８０℃であれば前記設定温度として４０℃〜４５℃程度の温度を設定することができる。
【００３１】
一方、ステップＳ５の判定で給湯使用が開始された場合には（ステップＳ５でＹＥＳ）、まず、ステップＳ２で設定した給湯流量調整弁５３の開度をそのまま維持した状態で給湯制御を実行するように給湯制御部１０３に指令を出力する一方、差し湯流量調整弁７２の開度を給湯使用が開始される直前の制御開度（直前開度）に維持する（ステップＳ１０）。次に、缶体出湯温度の低下処理を実行する（ステップＳ１１）。すなわち、燃焼系２２，２３の燃焼量を低減させることにより、缶体２から出湯路４に出湯される湯の温度が、設定給湯温度と同等以上でかつ後述の差し湯流量調整弁７１の開故障検知処理の前提となるステップＳ８の設定温度と同等以下の温度（例えば４１℃）に低下するように制御する。なお、燃焼量を低減制御する代わりに、燃焼自体を停止させるように燃焼系２２，２３の作動制御を行うことにより、缶体２から出湯路４に出湯される湯の温度を前記の如く低下させるようにしてもよい。これをふろ経路温度センサ９４の検出温度が前述の如き低下した温度として設定された設定温度まで低下するまでの僅かな間（例えば１０〜２０ｓｅｃ）、差し湯電磁弁７１を開状態に維持して浴槽６側への湯水供給を継続させる（ステップＳ１２でＮＯ）。
【００３２】
そして、ふろ経路温度センサ９４の設置位置での検出温度が前記設定温度まで温度低下すれば（ステップＳ１２でＹＥＳ）、差し湯電磁弁７１を閉切換制御して高温差し湯運転を中断させるとともに、給湯制御部１０３に対し通常の給湯制御、つまりステップＳ１０で給湯流量調整弁５３を設定開度に維持するという制約を解除して通常の給湯制御への移行を許可する旨の指令を出力する（ステップＳ１３）。この高温差し湯運転の中断を給湯使用が停止されるまで続け（ステップＳ１４でＮＯ）、給湯流量センサ５５の検出流量に基づき給湯使用が停止されたと判定されると、ステップＳ２に戻り高温差し湯運転を再開する（ステップＳ１４でＹＥＳ）。
【００３３】
以上の差し湯制御の場合、高温差し湯路７に作用する給水路３からの給水の供給圧（例えば水道管又は水道タンクからの供給圧）に抗して差し湯流量調整弁７２を所定開度まで絞ることにより、かなり低い所定の差し湯流量（例えば４Ｌ／ｍｉｎ）で一定に維持されて高温差し湯運転が継続されている状態で、給湯使用が開始されることにより出湯路４に出湯されている高温湯が一般給湯路５にも流れ始めることになったとしても、給湯流量調整弁５３が例えば全開と全閉との間の中央位置まで絞られた開度に設定されているため（図４のステップＳ１０）、給湯流量調整弁５３よりも上流側にある程度の背圧を維持したまま、出湯路４から高温差し湯路７と一般給湯路５との双方に分流させることができるようになる。このため、差し湯流量調整弁７２の開度を直前開度に維持しておくことで（同ステップＳ１０）、給湯使用の開始前とほぼ同じ流量の高温差し湯を高温差し湯路７に対し継続して分流させることができる。これにより、給湯使用が開始された時点から缶体出湯温度の低下処理（図４のステップＳ１１）が開始されるまでに缶体２内（熱交換器２４，２５内）や出湯路４内に残る高温湯を、高温差し湯路７を通して浴槽６に対し遅すぎずかつ速すぎない、それまでとほぼ同じ一定の差し湯流量にてパージすることができるようになる。一方、前記の缶体２内等に残る高温湯を高温差し湯路７にもそれまでと同様の一定の差し湯流量にて確実に分流させ続けることができるため、前記高温湯が給湯使用の開始により一般給湯路５側に一気に流れることが抑制されることになる。この結果、バイパス流量調整弁８１の混合比制御が追いつかずにオーバーシュートが生じてしまうという不都合の発生も回避することができ、バイパス路８を通しての混水により設定給湯温度への温調を確実に行うことができる。そして、ふろ経路温度センサ９４が設定温度までの温度低下を検出した上で高温差し湯運転を中断又は停止させているため（ステップＳ９，Ｓ１３）、後述の差し湯電磁弁故障検知処理を確実に行うことができることになる。
【００３４】
次に、図５を参照しつつ、差し湯電磁弁故障検知処理部１０６による差し湯電磁弁７１の開故障検知処理について説明する。これは、高温差し湯運転中ではないこと（ステップＳ２１でＹＥＳ）、及び、注湯運転中ではないこと（ステップＳ２２でＹＥＳ）を条件に、ふろ経路温度センサ９４による検出温度を監視することで（ステップＳ２３）、差し湯電磁弁７１の開故障検知を実現させるものである。すなわち、高温差し湯運転の停止や中断は、ふろ経路温度センサ９４の設置位置に所定の低温度の湯が到達することで実行されているため（ステップＳ８でＹＥＳ，Ｓ９、Ｓ１２でＹＥＳ，Ｓ１３）、その後、差し湯電磁弁７１に開故障が万一発生し、差し湯電磁弁７１を通過して漏れてきた高温湯がふろ経路温度センサ９４位置まで到達すれば、このふろ経路温度センサ９４によりその高温湯が検出されることになる。このため、ふろ経路温度センサ９４がその高温湯に対応する判定温度以上の温度を検出すれば（ステップＳ２３でＹＥＳ）、差し湯電磁弁７１は開故障状態に陥っていると判定して開故障検知処理を実行する（ステップＳ２４）。開故障検知処理としては、リモコン１０１，１０２に対し開故障している旨のエラー表示を行う、燃焼系２２，２３の燃焼作動を強制的に停止する、などのいずれか１の処理を、又は、双方の処理を組み合わせて、実行させるようにすればよい。
【符号の説明】
【００３５】
１        給湯装置
２        缶体
３        給水路
４        出湯路（缶体の出湯側）
５        一般給湯路
６        浴槽
７        高温差し湯路
８        バイパス路
５１      給湯栓
５３      給湯流量調整弁
７１      差し湯電磁弁
７２      差し湯流量調整弁
９４      ふろ経路温度センサ（温度センサ）
１０      コントローラ（差し湯制御手段）
１０５    差し湯制御部（差し湯制御手段）
【図１】
0006372188.tif 000002
【図２】
0006372188.tif 000003
【図３】
0006372188.tif 000004
【図４】
0006372188.tif 000005
【図５】
0006372188.tif 000006